(57)【要約】【課題】内部に収容された電子部品から発生する熱を円滑に外部に放出する電子部品収納用ケース及びそれを備えた画像表示装置を提供する。【解決手段】熱を発生させる電子部品を内部に収納する電子部品収納用ケースであり、このケースはケース内の空間を少なくとも部分的に区切る一つ以上の隔壁１２０を備え、隔壁１２０により区切られた空間を限定する面それぞれには空気が流入する流入部１１３、１１５とそこから流入した空気が画像表示パネル３や回路ボード４、５、６、７などの電子部品からの熱を吸収して排出される排出部１１４、１１６とが形成されている電子部品収納用ケース、およびこの電子部品収納用ケースを備えた画像表示装置１０１。【選択図】            図３
2005197766.tif 000002
【特許請求の範囲】
【請求項１】
熱を発生させる電子部品を内部に収納する電子部品収納用ケースであって、
前記ケースは、前記ケース内の空間を少なくとも部分的に区切る一つ以上の隔壁を備え、
前記隔壁により区切られた空間を限定する面それぞれには空気が流入する流入部とそこから流入した空気が前記電子部品から熱を吸収して排出される排出部とが形成されていることを特徴とする電子部品収納用ケース。
【請求項２】
前記隔壁は前記ケース内の空間を上下に区切ることを特徴とする請求１項に記載の電子部品収納用ケース。
【請求項３】
前記隔壁は前記ケース内の空間を左右に区切ることを特徴とする請求項１に記載の電子部品収納用ケース。
【請求項４】
前記隔壁の下側に第１排出部が形成され、当該第１排出部は前記隔壁により区切られた下側空間を限定する背面下側の最上部に形成され、
前記隔壁の上側に第２排出部が形成され、当該第２排出部は前記隔壁により区切られた上側空間を限定する背面上側の最上部に形成されていることを特徴とする請求項２に記載の電子部品収納用ケース。
【請求項５】
前記第１排出部は前記背面が形成する平面上に形成されていることを特徴とする請求項４に記載の電子部品収納用ケース。
【請求項６】
前記隔壁は前記第１排出部と鋭角をなすことを特徴とする請求項４に記載の電子部品収納用ケース。
【請求項７】
前記隔壁は前記第１排出部と鋭角をなすことを特徴とする請求項５に記載の電子部品収納用ケース。
【請求項８】
前記流入部には１ｍｍないし８ｍｍの幅を有する流入孔が形成され、前記排出部には１ｍｍないし８ｍｍの幅を有する排出孔が形成されていることを特徴とする請求項１ないし７のうちいずれか１項に記載の電子部品収納用ケース。
【請求項９】
前記流入孔及び排出孔は所定のパターンで形成されていることを特徴とする請求項８に記載の電子部品収納用ケース。
【請求項１０】
前記流入孔及び排出孔のうち少なくとも一部はメッシュにより限定されることを特徴とする請求項９に記載の電子部品収納用ケース。
【請求項１１】
前記メッシュは前記電子部品収納用ケースのリアカバーと一体に形成されていることを特徴とする請求項１０に記載の電子部品収納用ケース。
【請求項１２】
前記隔壁により区切られた一空間を限定する面に形成されている排出部と前記隔壁により区切られた他空間を限定する面に形成されている流入部とは前記排出部から排出された空気が前記流入部に流入しないように互いにずれて形成されていることを特徴とする請求項１ないし７のうちいずれか１項に記載の電子部品収納用ケース。
【請求項１３】
画像表示パネルと、
前記画像表示パネルを駆動する回路ボードと、
前記画像表示パネルと回路ボードとを支持するフレームと、
前記画像表示パネル、回路ボード、及びフレームを内部に収納する電子部品収納用ケースとを備えた画像表示装置であり、
前記電子部品収納用ケースは、前記電子部品収納用ケース内の空間を少なくとも部分的に区切る一つ以上の隔壁を備え、前記隔壁により区切られた空間を限定する面それぞれには空気が流入する流入部とそこから流入した空気が前記電子部品から熱を吸収して排出される排出部とが形成されていることを特徴とする画像表示装置。
【請求項１４】
前記隔壁は前記ケース内の空間を上下に区切ることを特徴とする請求項１３に記載の画像表示装置。
【請求項１５】
前記隔壁は前記ケース内の空間を左右に区切ることを特徴とする請求項１３に記載の画像表示装置。
【請求項１６】
前記隔壁の下側に形成されている第１排出部は前記隔壁により区切られた下側空間を限定する背面下側の最上部に形成され、前記隔壁の上側に形成されている第２排出部は前記隔壁により区切られた上側空間を限定する背面上側の最上部に形成されていることを特徴とする請求項１４に記載の画像表示装置。
【請求項１７】
前記第１排出部は前記背面が形成する平面上に形成されていることを特徴とする請求項１６に記載の画像表示装置。
【請求項１８】
前記隔壁は前記第１排出部と鋭角をなすことを特徴とする請求項１６に記載の画像表示装置。
【請求項１９】
前記隔壁は前記第１排出部と鋭角をなすことを特徴とする請求項１７に記載の画像表示装置。
【請求項２０】
前記流入部には１ｍｍないし８ｍｍの幅を有する流入孔が形成され、前記排出部には１ｍｍないし８ｍｍの幅を有する排出孔が形成されていることを特徴とする請求項１３ないし１９のうちいずれの１項に記載の画像表示装置。
【請求項２１】
前記流入孔及び排出孔は所定のパターンで形成されていることを特徴とする請求項２０に記載の画像表示装置。
【請求項２２】
前記流入孔及び排出孔のうち少なくとも一部はメッシュにより限定されることを特徴とする請求項２１に記載の画像表示装置。
【請求項２３】
前記メッシュは前記電子部品収納用ケースのリアカバーと一体に形成されていることを特徴とする請求項２２に記載の画像表示装置。
【請求項２４】
前記隔壁により区切られた一空間を限定する面に形成されている排出部と前記隔壁により区切られた他空間を限定する面に形成されている流入部とは前記排出部から排出された空気が前記流入部に流入しないように互いにずれて形成されていることを特徴とする請求項１３ないし１９のうちいずれの１項に記載の画像表示装置。
【発明の詳細な説明】
【０００１】
【発明の属する技術分野】
本発明は電子部品収納用ケース及びそれを備えた画像表示装置に係り、さらに詳細には電子部品から発生する熱放出を向上させる構造を有するケース及びそれを備えた画像表示装置に関する。
【０００２】
【従来の技術】
特許文献１には一般的な画像表示パネルを収納するためのケースが示されている。前記ケースを出入りする空気流動側面から見る時、前記ケースは図１に示されたような構造を有し、図２に示されたように空気がケースの下側から流入して上側に排出される。
【０００３】
図１に示された従来の画像表示装置１はフロントカバー９及びリアカバー１０を備えた電子部品収納用ケースと、前記ケース内に収納されるフレーム２と、前記フレームの前面に装着される画像表示パネル３、前記フレームの背面にスペーサ８により装着される左側回路ボード４、上側回路ボード５、下側回路ボード６、及び右側回路ボード７のような電子部品を備える。前記ケース内に収納される電子部品とそれに付随する部品は簡略に示されるかあるいは省略した。
【０００４】
前記リアカバー１０の背面１１は全体的に扁平な形態を有し、その下部には空気が流入する流入部１３が形成されており、その上部と上面１２には前記流入部１３から流入した空気が排出される排出部１４が形成されている。
【０００５】
図２は前記画像表示装置１が組み立てられた形態を示す。矢印によって示されたように、空気は前記流入部１３から流入して前記電子部品から熱を吸収し、熱を吸収して軽くなった空気は前記排出部１４を通じて排出される。
【０００６】
しかし、前記のようなケースを備えた画像表示装置、特にプラズマディスプレイパネル（ＰＤＰ：Ｐｌａｓｍａ  Ｄｉｓｐｌａｙ  Ｐａｎｅｌ）を備えた画像表示装置は電子部品の発熱が激しく、前記のような一般的な構造を有するケースではその熱が十分に円滑に外部に放出されない。従って、前記ケースの内部に空気を強制送風させるファンを装着しなければならず、従ってそれによる追加的コストと製作時間とがかかる問題点があった。
【０００７】
【特許文献１】
米国特許第６，２２９，５８４号明細書
【０００８】
【発明が解決しようとする課題】
本発明は前記のような問題点を解決し、内部の電子部品から発生する熱を円滑に外部に放出する電子部品収納用ケース及びそれを備えた画像表示装置を提供することを目的とする。
【０００９】
【課題を解決するための手段】
前記のような目的を達成するために本発明は、熱を発生させる電子部品を内部に収納する電子部品収納用ケースであり、前記ケースは、前記ケース内の空間を少なくとも部分的に区切る一つ以上の隔壁を備え、前記隔壁により区切られた空間を限定する面それぞれには空気が流入する流入部とそこから流入した空気が前記電子部品から熱を吸収して排出される排出部とが形成されている電子部品収納用ケースを提供する。
【００１０】
また前記のような目的を達成するために本発明は、画像表示パネル、前記画像表示パネルを駆動する回路ボード、前記画像表示パネルと回路ボードとを支持するフレーム、及びそれらを内部に収納する電子部品収納用ケースを備えた画像表示装置であり、前記電子部品収納用ケースは、前記電子部品収納用ケース内の空間を少なくとも部分的に区切る一つ以上の隔壁を備え、前記隔壁により区切られた空間を限定する面それぞれには空気が流入する流入部とそこから流入した空気が前記電子部品から熱を吸収して排出される排出部とが形成されている画像表示装置を提供する。
【００１１】
前記隔壁は前記ケース内の空間を上下または左右に区切るように形成されうる。前記隔壁が前記ケース内の空間を上下に区切るように形成された場合には、前記隔壁の下側に形成された第１排出部は前記隔壁により区切られた下側空間を限定する背面下側の最上部に形成され、前記隔壁の上側に形成された第２排出部は前記隔壁により区切られた上側空間を限定する背面上側の最上部に形成されることが望ましい。また、前記第１排出部は前記背面が形成する平面上に形成されることが望ましく、前記隔壁は前記第１排出部と鋭角をなすように形成されることも望ましい。
【００１２】
また、前記流入部及び排出部には１ｍｍないし８ｍｍの幅を有する流入孔及び排出孔それぞれが形成されることが望ましく、前記流入孔及び排出孔は所定のパターンで形成されることが望ましい。また、前記流入孔及び排出孔のうち少なくとも一部はメッシュにより限定されることが望ましく、前記メッシュは前記電子部品収納用ケースのリアカバーと一体に形成されることがさらに望ましい。
【００１３】
さらに、前記隔壁により区切られた一空間を限定する面に形成された排出部と前記隔壁により区切られた他空間を限定する面に形成された流入部とは前記排出部から排出された空気が前記流入部に流入しないように互いにずれて形成されることが望ましい。
【００１４】
前記のような電子部品収納用ケース及びそれを備えた画像表示装置により放熱効果が向上する。
【００１５】
【発明の実施の形態】
以下、添付した図面を参照して本発明の実施の形態を詳細に説明する。
【００１６】
本発明の第１の実施の形態による電子部品収納用ケースを備えた画像表示装置１０１の分解斜視図が図３に示されており、従来の電子部品収納用ケースの部材と同一機能を果たす同一部材については同じ参照符号を使用し、それは他の実施の形態についても同様である。
【００１７】
本発明の特徴は前記電子部品収納用ケース構造にあるので、それに収納される電子部品が画像表示パネル３とそれに付随する部品に限定されはしないが、内部に画像表示パネルとそれに付随する部品を収納するケースを例にして本実施の形態を説明する。また、図面の理解を容易にするために図３では前記画像表示パネルとそれに付随する部品とを簡略に示して一部部品は省略された。
【００１８】
前記画像表示装置は画像表示パネル３、前記画像表示パネル３を駆動する回路ボード４、５、６、７、前記画像表示パネルと回路ボードとを支持するフレーム２、前記回路ボードを前記フレームに支持するスペーサ８、及びそれらを内部に収納する電子部品収納用ケースを構成するフロントカバー９とリアカバー１１０とを備える。
【００１９】
前記画像表示パネル３はユーザが所定画像を見られるべく表示する部品であり、それは陰極線管（ＣＲＴ：Ｃａｔｈｏｄｅ  Ｒａｙ  Ｔｕｂｅ）の前面パネル、液晶ディスプレイ（ＬＣＤ：Ｌｉｑｕｉｄ  Ｃｒｙｓｔａｌ  Ｄｉｓｐｌａｙ）パネル、電界ディスプレイパネル、ＰＤＰ、発光ダイオード（ＬＥＤ：Ｌｉｇｈｔ  Ｅｍｉｔｔｉｎｇ  Ｄｉｏｄｅ）ディスプレイパネルなどのようなものでありうる。特に、前記ＰＤＰの場合には放熱量が多く、熱放出が電子部品収納用ケースの設計における重要な考慮事項になる。
【００２０】
前記回路ボードはさまざまな形態に製作されうるが、本実施の形態ではその位置により、左側回路ボード４、上側回路ボード５、下側回路ボード６、及び右側回路ボード７より構成されると例示した。場合によっては一つの回路ボードだけある場合もある。前記回路ボードは前記画像表示パネルを駆動するために必要な電源供給ユニット、画像駆動ユニット、制御ユニット、及びそれらを連結する導線などのような部品を備える。この回路ボードの位置と各回路ボードに装着されるユニットの発熱特性とにより、後述するケース構造が決まることが望ましい。すなわち、各ユニットの発熱量と耐熱特性とにより、ケース構造を最適化することが望ましい。
【００２１】
前記回路ボード４、５、６、７と画像表示パネルとにより発生する熱が円滑に排出されなければ画像表示パネルの作動に悪影響を与えるために、前記回路ボードと画像表示パネルとはその間に空気が流動できるように互いに離隔して設けられることが望ましい。このために、前記スペーサ８は前記回路ボードを前記フレーム２に対して所定間隔をおいて離隔させた状態で支持する。
【００２２】
前記フレーム２は前記画像表示パネル３と回路ボード４、５、６、７とを支持する。本実施の形態では前記画像表示パネルがフレームに直接に支持されて前記回路ボードがスペーサ８により間接的に支持されると示されたが、その逆も可能である。前記フレームは前記画像表示装置を立てる脚（図示せず）や前記画像表示装置を壁面に掛けさせる輪、孔などを備えられる。
【００２３】
前記ケースは前記画像表示パネル３、回路ボード４、５、６、７、フレーム２、及びスペーサ８などを内部に収納する。
【００２４】
本実施の形態にて前記ケースは前記画像表示パネルの前面をカバーするフロントカバー９と前記回路ボードの背面をカバーするリアカバー１１０とを備えるが、前記ケースは１開口を有する六方体状の本体と前記開口を覆う蓋部とを備えることもある。
【００２５】
前記画像表示パネルの前面に対応する前記ケースの前面には光が通過できるウインドウが形成されている。
【００２６】
前記リアカバー１１０の背面１１１には下端部に形成された第１流入部１１３、前記第１流入部の上側に形成された第１排出部１１４、前記リアカバーにより限定される内部空間を上下に区画して前記第１排出部に隣接した上側の内面に形成された隔壁１２０、及び前記隔壁の上側に形成された第２流入部１１５が形成されており、前記リアカバー１１０の上面１１２には第２排出部１１６が形成されている。
【００２７】
前記第２排出部１１６は前記背面１１１の上端部に形成されるか、または背面１１１の上端部から前記上面１１２にかけて形成されてもよい。
【００２８】
前記第１流入部１１３、第１排出部１１４、第２流入部１１５、及び第２排出部１１６には前記ケース内外への空気の出入りを可能にする流入孔１１３ａ、１１５ａ及び排出孔１１４ａ、１１６ａが形成されている。
【００２９】
前記流入孔及び排出孔はリアカバーの構造的強度を一定レベル以上に保持する範囲内で空気流動を極大化させる形状及びサイズに形成されることが望ましい。その形状としては円形、四角形、菱形、三角形、六角形などがある。またそのサイズはユーザの安全のために、例えば子供の指が出入りしないほどに小さい範囲内で空気流動ができる限り円滑になるように決められることが望ましい。
【００３０】
一般的にかかる条件を充足させる前記流入孔及び排出孔の幅はほぼ１ｍｍないし８ｍｍである。前記排出部及び流入部の開口率（排出部の場合には排出孔の面積総合／排出部の全体面積、流入部の場合には流入孔の面積総合／流入部の全体面積）はほぼ２５％ほどである。
【００３１】
前記隔壁１２０は前記第１排出部１１４と第２流入部１１５間のリアカバー内側に形成されているが、それは前記ケース内の空間を上下に区画して第１流入部１１３から流入した空気を前記第１排出部１１４にガイドする。
【００３２】
前記隔壁１２０は前記背面１１１の内側に横方向長手全体にかけて形成されうるがそれに限定されず、特に内部に収納される特定部品の回路ボードに垂直方向への寸法が大きい場合には、その部品に対応する位置の隔壁は低く形成されるかあるいは部分的に切り込まれうる。それは前記隔壁の高さが隔壁の長手方向に一定ではないこともあることを意味する。
【００３３】
また、前記隔壁１２０はその長手方向に直線状に形成されることもあるが、特に上記の通りに寸法が大きい部品を迂回して形成されることもあり、その場合には前記隔壁が多少曲がって形成されてもよいし、また、曲線状に形成されてもよい。
【００３４】
一般的には、前記隔壁により区切られる空間相互ができる限り直接疎通されないことが望ましく、従って前記隔壁は前記回路ボード及びそれに装着された電子部品と密着されることが望ましい。
【００３５】
図４を参考にして前記ケースの流入部と排出部とを通った空気の出入りを説明する。図４に矢印でもって示されたように、空気は前記第１流入部１１３に流入し、隣接した電子部品から熱を吸収した後で前記隔壁１２０により前記第１排出部にガイドされる。また、前記第２流入部１１４から流入した新しい空気は隣接した電子部品から熱を吸収した後で前記第２排出部１１６に排出される。
【００３６】
前記のような空気の出入りは自然対流現象によりなされる。前記自然対流現象による場合には、前記電子部品から発生した熱により空気が出入りする。すなわち電子部品から熱を吸収した空気は膨脹して軽くなるので、上側に形成された排出部に上昇して自然に排出され、前記排出された空気があったところには下部に形成された流入部から新しい空気が流入する。
【００３７】
一方、前記のような空気の出入りをさらに円滑にするために自然対流現象を補助するファンが設けられてもよい。その場合には前記のような空気の流れに順行する方向に送風することが望ましい。かかるファンは前記隔壁により区切られる空間のうち一部空間にだけ設けられていてもよい。たとえ従来技術にもファンが使われているとしても、本実施の形態のような構造を有するケースにおいてはファンへの依存度が低くなり、従ってファンのためにかかるコストを節減できる。
【００３８】
特に、前記画像表示パネル３が高解像度のＰＤＰである場合には画面を上下に分割し、上側と下側の画像をそれぞれ駆動することが望ましい場合があるが、その場合には前記ＰＤＰを制御するための画像駆動用集積回路チップ（特に、前記ＰＤＰの背面に直接装着される集積回路チップ）も上側と下側とにそれぞれ別途に装着されるのが一般的である。前記集積回路チップはその放熱量が特に多いので、下側の集積回路チップから熱を吸収した空気がケースの上側に上昇すれば、上側の集積回路チップは放熱が悪化してそれは画像表示装置の作動に悪影響を及ぼす。
【００３９】
本実施の形態の如く上下を隔壁でもって区画し、その隔壁により区切られる２空間を限定する面にそれぞれの流入部と排出部とを形成すれば前記のような問題点を解決できる。
【００４０】
本発明の第２の実施の形態による電子部品収納用ケースを備えた画像表示装置２０１の分解斜視図が図５に示されている。以下では前記第１の実施の形態と異なる事項を中心に説明する。
【００４１】
この画像表示装置のリアカバー２１０の背面２１１には、前記リアカバーにより限定される内部空間を左右に区切る隔壁２２０、前記隔壁により区切られた左側空間を限定する面の下端部に形成された左側流入部２１３Ａ、前記左側流入部の上側に形成された左側排出部２１４Ａ、前記隔壁により区切られた右側空間を限定する面の下端部に形成された右側流入部２１３Ｂ、及び前記右側流入部の上側に形成された右側排出部２１４Ｂが形成されている。
【００４２】
前記排出部２１４Ａ、２１４Ｂは前記背面２１１の上端部に形成されるか、または背面２１１の上端部から前記上面２１２にかけて形成される。前記流入部には第１の実施の形態のような流入孔２１３Ａａ、２１３Ｂａが形成され、前記排出部には第１の実施の形態のような排出孔２１４Ａａ、２１４Ｂａが形成される。
【００４３】
前記隔壁２２０は前記ケース内の空間を左右に区切ることにより、左側流入部２１３Ａから流入した空気は前記左側排出部２１４Ａにガイドし、右側流入部２１３Ｂから流入した空気は前記右側排出部２１４Ｂにガイドする。
【００４４】
本実施の形態は、特に前記ケースの左側と右側のうち一側に収納される電子部品が熱を多く発生させつつも高熱によく耐え、他側に収納される電子部品は熱を少なく発生させつつも高熱に耐えられない場合に、前記ケースの左側と右側とを隔壁２２０により隔離させることにより、一側から熱を吸収した空気が他側に流動することを防止して他側の電子部品を保護できるという長所がある。
【００４５】
図６に矢印でもって示されたように、空気は前記左側流入部２１３Ａと右側流入部２１３Ｂとにそれぞれ流入し、隣接した電子部品から熱を吸収した後で前記左側排出部２１４Ａと右側排出部２１４Ｂそれぞれを通じて排出される。本実施の形態においては前記ケースにより限定される空間が前記隔壁により縦方向に２部分に区切られたが、３つ以上の部分に区切られてもよい。
【００４６】
本発明の第３の実施の形態による電子部品収納用ケースを備えた画像表示装置３０１の分解斜視図が図７に示されている。以下では前記第１の実施の形態と異なる事項を中心に説明する。
【００４７】
前記画像表示装置３０１のリアカバー１１０の背面１１１には、下端部に形成された第１流入部１１３、前記第１流入部の上側に形成された第１排出部１１４、前記リアカバーにより限定される内部空間を上下に区画して前記第１排出部と鋭角をなすようにリアカバー背面１１１の内面に形成された隔壁３２０、及び前記隔壁の上側に形成された第２流入部１１５が形成されており、前記リアカバー１１０の上面１１２には第２排出部１１６が形成されている。
【００４８】
前記第２排出部１１６は前記背面１１１の上端部に形成されるか、または背面１１１の上端部から前記上面１１２にかけて形成される。前記第１流入部１１３、第１排出部１１４、第２流入部１１５、及び第２排出部１１６にはリアカバー１１０の全体的な形状を保持するためのそれぞれの流入孔１１３ａ、１１５ａ及び排出孔１１４ａ、１１６ａが形成されている。
【００４９】
本実施の形態が第１の実施の形態と区別される特徴は前記隔壁３２０が前記第１排出部に向かって上向きに傾斜しているということである。第１の実施の形態の隔壁１２０はかように傾斜していないために、上昇する空気が前記隔壁１２０の下にしばらく留まっていて第１排出部１１４に排出されるが、本実施の形態では前記隔壁３２０が前記第１排出部に向かって傾斜しているために、電子部品から熱を吸収した空気が前記隔壁の傾斜面に沿って円滑に排出されるという長所を有する。本実施の形態による電子部品収納用ケースの空気流動方向は第１の実施の形態の場合と同じである。
【００５０】
本発明の第４の実施の形態による電子部品収納用ケースを備えた画像表示装置４０１の分解斜視図が図８に示されている。本実施の形態が第３の実施の形態と区別される特徴は第１排出部１１４が前記リアカバーの背面１１１に対して直交して形成されており、従って第１排出部の排出孔４１４ａは上向きに形成されているということである。
【００５１】
かかる構成を採択すれば、リアカバーの構造的強度が向上するという長所がある。本実施の形態による電子部品収納用ケースの空気流動方向は第３の実施の形態の場合と同じである。
【００５２】
本発明の第５の実施の形態による電子部品収納用ケースを備えた画像表示装置５０１の分解斜視図が図９に示されている。
【００５３】
前記画像表示装置のリアカバー５１０の背面５１１には下端部に形成された第１流入部５１３、前記第１流入部の上側に形成された排出部５１４Ａ、５１４Ｂ、５１４Ｃ、前記リアカバーにより限定される内部空間を上下に区画して前記第１排出部に隣接した上側の内面に形成された隔壁、及び前記隔壁の上側に形成された第２流入部５１５Ａ、５１５Ｂ、５１５Ｃが形成されており、前記リアカバー５１０の上面５１２には第２排出部５１６が形成されている。前記第２排出部５１６は前記背面５１１の上端部に形成されるか、または背面５１１の上端部から前記上面５１２にかけて形成される。前記第１排出部及び第２流入部が互いに離隔されて形成されたのは、第１排出部間の部分及び第２流入部間の部分でのケース内側空気の温度が低く、それらの間に排出部や流入部を形成しないのが望ましいか、内部に収容される電子部品の寸法が大きくて空気が流動できる空間がないか、あるいはそれらの間に縦方向の隔壁を設ける必要があるなどの理由によるものである。
【００５４】
前記第１流入部５１３、第１排出部５１４Ａ、５１４Ｂ、５１４Ｃ、第２流入部５１５Ａ、５１５Ｂ、５１５Ｃ、及び第２排出部１１６には前記ケース内外への空気の出入りを可能にする流入孔５１３ａ、５１５Ａａ、５１５Ｂａ、５１５Ｃａ及び排出孔５１４Ａａ、５１４Ｂａ、５１４Ｃａ、５１６ａが形成されている。前記流入孔及び排出孔はリアカバーの構造的強度を一定レベル以上に保持する範囲内で空気流動を極大化させる形状及びサイズに形成されることが望ましい。その形状としては円形、四角形、菱形、三角形、六角形などがある。また、そのサイズはユーザの安全のために、例えば子供の指が出入りできないほどに小さい範囲内で空気流動ができる限り円滑になるように決まめることが望ましい。一般的に、かかる条件を充足させる前記流入孔及び排出孔の幅はほぼ１ｍｍないし８ｍｍである。
【００５５】
本実施の形態の第１排出部５１４Ａ、５１４Ｂ、５１４Ｃはリアカバーの背面５１１と直交して形成されており、かかる構成を採択すればリアカバーの構造的強度が向上するという長所がある。
【００５６】
前記隔壁は前記第１排出部５１４Ａ、５１４Ｂ、５１４Ｃと第２流入部５１５Ａ、５１５Ｂ、５１５Ｃ間のリアカバー内側に形成されるが、それは前記ケース内の空間を上下に区画して第１流入部５１３から流入した空気を前記第１排出部５１４Ａ、５１４Ｂ、５１４Ｃにガイドする。
【００５７】
前記隔壁は前記背面５１１の内側に横方向長手全体にかけて互いに連結されて形成されうるがそれに限定されずに、特に内部に収納される特定部品の回路ボードに垂直の方向への寸法が大きい場合には、その部品に対応する位置の隔壁は低く形成されるかあるいは部分的に切り込まれうる。これは前記隔壁の高さが隔壁の長手方向に一定ではないこともあることを意味する。
【００５８】
また、前記隔壁はその長手方向に直線状に形成されてもよいし、また、上記の如く寸法が大きい部品を迂回して形成されてもよい。その場合には前記隔壁が多少曲がって形成されるかあるいは曲線状に形成されてもよい。
【００５９】
一般的には、前記隔壁により区切られる空間相互ができる限り直接疎通されないことが望ましく、従って前記隔壁は前記回路ボード及びそれに装着された電子部品と密着されることが望ましい。
【００６０】
図１０を参考にして前記ケースの流入部と排出部とを通る空気の出入りを説明する。図１０に矢印でもって示されたように、空気は前記第１流入部５１３に流入して隣接した電子部品から熱を吸収した後で前記隔壁５２０により前記第１排出部にガイドされる。また、前記第２流入部５１４Ａ、５１４Ｂ、５１４Ｃから流入した新しい空気は隣接した電子部品から熱を吸収した後で前記第２排出部５１６に排出される。
【００６１】
前記のような空気の出入りは自然対流現象によりなされうる。前記自然対流現象の場合には、前記電子部品から発生した熱により空気が出入りするようになる。すなわち電子部品から熱を吸収した空気は膨脹して軽くなるので上側に形成された排出部に上昇して自然に排出され、前記排出された空気があったところには下部に形成された流入部から新しい空気が流入する。
【００６２】
一方、前記のような空気の出入りをさらに円滑にするために自然対流現象を補助するファンが設けられてもよい。その場合には前記のような空気の流れに順行する方向に送風することが望ましい。かかるファンは前記隔壁により区切られる空間のうち一部空間にだけ設けられてもよい。たとえ従来技術にもファンが使われていたとしても、本実施の形態のような構造を有するケースにおいてはファンの依存度が低く、従ってファンにかかる費用などを節減できる。
【００６３】
特に、前記画像表示パネル３が高解像度のＰＤＰの場合には、画面を上下に分割して上側と下側の画像をそれぞれ駆動することが望ましい場合があるが、その場合には前記ＰＤＰを制御するための画像駆動用集積回路チップ（特に、前記ＰＤＰの背面に直接装着される集積回路チップ）も上側と下側とにそれぞれ別途に装着されるのが一般的である。前記集積回路チップはその放熱量が特に多いので、下側の集積回路チップから熱を吸収した空気がケースの上側に上昇すれば、上側の集積回路チップは放熱が悪化し、それは画像表示装置の作動に悪影響を及ぼす。本実施の形態の如く上下を隔壁として区画し、その隔壁により区切られる２空間を限定する面にそれぞれの流入部と排出部とを形成すれば前記のような問題点を解決できる。
【００６４】
本発明の第６の実施の形態による電子部品収納用ケースを備えた画像表示装置６０１の分解斜視図が図１１に示されている。以下では前記第５の実施の形態と異なる事項を中心に説明する。
【００６５】
本実施の形態が第５の実施の形態と異なる点は第１排出部６１４Ａ、６１４Ｂ、６１４Ｃがリアカバーの背面５１１に形成されるということである。前記第４の実施の形態の通り第１排出部はリアカバーの背面と直交して形成されれば、隔壁により限定される下側空間を経由した空気が隔壁によりガイドされる前に第１排出部を通過するが、それは空気流動を妨害する要素として作用して空気の排出が円滑にならず、従って前記下側空間の上側部分の温度が高くなるという短所がある。
【００６６】
本実施の形態の通りに第１排出部をリアカバーの背面に形成すれば、前記下側空間を経由した空気が隔壁によりまずガイドされた後で前記第１排出部を通過するようになるので、空気流動がさらに円滑になる長所がある。
【００６７】
本実施の形態による電子部品収納用ケースを通過する空気流動方向は前記第５の実施の形態の空気流動方向と同じである。
【００６８】
本発明の第７の実施の形態による電子部品収納用ケースを備えた画像表示装置７０１の分解斜視図が図１２に示されている。以下では前記第６の実施の形態と異なる事項を中心に説明する。
【００６９】
本実施の形態が第６の実施の形態と異なる点は第１排出部７１４Ａ、７１４Ｂ、７１４Ｃ及び第２流入部７１５Ａ、７１５Ｂ、７１５Ｃに形成された排出孔及び流入孔がメッシュにより限定されるということである。前記第６の実施の形態では排出孔及び流入孔がリアカバーに円形に形成されたが、本実施の形態ではリアカバーの第１排出部及び第２流入部に大きい開口を形成してその開口に別のメッシュ部材を付着したり、または前記リアカバーにメッシュ形状を形成し、そのメッシュに形成された孔を排出孔及び流入孔とする。
【００７０】
かように第１排出部７１４Ａ、７１４Ｂ、７１４Ｃ及び第２流入部７１５Ａ、７１５Ｂ、７１５Ｃに形成された排出孔７１４Ａａ、７１４Ｂａ、７１４Ｃａ及び流入孔７１５Ａａ、７１５Ｂａ、７１５Ｃａがメッシュにより限定されれば、開口率を大きく（例えば、８０％以上）でき、従って第１排出部及び第２流入部を通過する空気流動抵抗を極小化できるという長所がある。
【００７１】
第１流入部と第２排出部もメッシュ状に形成できるが、本実施の形態では前記第１排出部及び第２流入部だけメッシュ状に形成することとする。本実施の形態による電子部品収納用ケースを通過する空気流動方向は前記第５の実施の形態の空気流動方向と同じである。
【００７２】
図１３は前記実施の形態による電子部品収納用ケースに対する温度測定地点を示す。Ｘ１０はリアカバーを、Ｘ１３は第１流入部を、Ｘ１４Ａ、Ｘ１４Ｂ、Ｘ１４Ｃは第１排出部を、Ｘ１５Ａ、Ｘ１５Ｂ、Ｘ１５Ｃは第２流入部を、Ｘ１６は第２排出部を意味し、各部分の具体的な形態は前述の通りである。
【００７３】
本実験において、前記リアカバーはアルミニウムで形成され、画像表示パネルとしては４２インチＰＤＰを採択し、前記ＰＤＰは最も発熱量が大きい白色を表示するようにし、使用電圧は２２０Ｖであり、電力は３８０Ｗであり、周辺空気の温度はほぼ２６℃であった。また測定対象は（１）図１に示された従来の電子部品収納用ケース、（２）第５の実施の形態による電子部品収納用ケース、（３）第６の実施の形態による電子部品収納用ケース、及び（４）第７の実施の形態による電子部品収納用ケースである。
【００７４】
図１４に示された温度測定結果を見れば、第５の実施の形態の場合においては全体的には従来のケースと似ているが、ケースの中央部Ｐ４、Ｐ６では従来のケースに比べて温度がほぼ１０℃ほど低いことが分かる。また、第６の実施の形態の場合においてはケースの横方向端部Ｐ１、Ｐ２、Ｐ１０では温度が従来のケースより多少高いが、中央部Ｐ３、Ｐ４、Ｐ５、Ｐ６、Ｐ７では温度が従来のケースより低く、特にＰ４、Ｐ５及びＰ６地点ではほぼ１０℃ほど低いことが分かる。さらに、第７の実施の形態による電子部品収納用ケースについての実験結果を見れば、Ｐ１０地点を除外したすべての部分での温度が従来のケースより低く、特に中央部Ｐ３、Ｐ４、Ｐ５、Ｐ６、Ｐ７では前記第６の実施の形態より温度が低いのが分かる。
【００７５】
図１５にても前記のような傾向を見ることができるが、すなわち第５の実施の形態及び第６の実施の形態の場合には端部Ｒ１、Ｒ５での温度は従来のケースと大きい差がないが、中央部Ｒ２、Ｒ３、Ｒ４では従来のケースに比べて温度が１〜６℃ほど低い。また第７の実施の形態の場合にはこのような温度下降がより顕著になり、中央部Ｒ２、Ｒ３、Ｒ４では従来のケースに比べて温度が４〜９℃ほど低い。
【００７６】
かように本発明による電子部品収納用ケースを採択することにより、リアカバーでの温度が顕著に低くなり、それにより内部に収納された電子部品（例えば、画像表示パネル）の誤作動が防止され、またユーザの過ち接触による火傷が防止できる。特に、前記中央部がユーザの手と接触しやすい部分であることを考慮する時、本発明による電子部品収納用ケースを採択することにより中央部の温度が顕著に低くなるということは特に有利な点である。
【００７７】
本発明の第８の実施の形態による電子部品収納用ケースを備えた画像表示装置８０１の分解斜視図が図１６に示されている。本実施の形態は前記第２の実施の形態と第７の実施の形態とが複合された形態であり、以下では前記実施の形態が複合されることによる本実施の形態の特徴を中心に説明する。
【００７８】
前記画像表示装置のリアカバー５１０の背面５１１には前記リアカバーにより限定される内部空間を上下に区切る水平隔壁８２０Ａが形成されており、前記水平隔壁により区切られた上側空間は左側垂直隔壁８２０Ｂと右側垂直隔壁８２０Ｃとにより左右３段に区切られる。また、前記水平隔壁は第１排出部７１４Ａ、７１４Ｂ、７１４Ｃに向けて傾斜していて空気の排出を円滑にする。
【００７９】
かかる構造のケースは、その上側中央部に多くの熱を発生させる電子部品が設けられて上側の両側部は熱に弱い電子部品が設けられた場合に特に有利である。
【００８０】
本発明の第９の実施の形態による電子部品収納用ケースを備えた画像表示装置８０１の分解斜視図が図１７に示されている。本の実施の形態は前記第７の実施の形態とは異なり、第２流入部９１５Ａ、９１５Ｂが第１排出部７１４Ａ、７１４Ｂ、７１４Ｃと交錯して配される。すなわち、第１排出部７１４Ａ、７１４Ｂ間の上側には第２左側流入部９１５Ａが配され、第１排出部７１４Ｂ、７１４Ｃ間の上側には第２右側流入部９１５Ｂが配される。
【００８１】
このために第１排出部７１４Ａ、７１４Ｂ、７１４Ｃから排出された高温の空気が前記第２流入部９１５Ａ、９１５Ｂに再び流入することが防止され、従って隔壁により区切られた上側空間内の電子部品が新しい空気により冷却されることがさらにはっきりと保証される。
【００８２】
以上本発明は図面に示された実施の形態を参考に説明されたが、それは例示的なものに過ぎず、本技術分野の当業者ならばそれから多様な変形及び均等な他の実施の形態が可能であるという点を理解できるであろう。従って、本発明の真の保護範囲は特許請求の範囲上の技術的思想により決まるものである。
【００８３】
【発明の効果】
本発明により、内部の電子部品から発生する熱を円滑に外部に放出する電子部品収納用ケース及びそれを備えた画像表示装置が提供される。
【００８４】
特に、第１の実施の形態による電子部品収納用ケース及びそれを備えた画像表示装置は、そのケース内部の空間が上下に区切られるので、ケース上側の電子部品が新しく流入した冷たい空気により冷却されるという長所を有する。
【００８５】
また、第２の実施の形態による電子部品収納用ケース及びそれを備えた画像表示装置は、そのケース内部の空間が左右に区切られるので、前記ケースの左側と右側のうち一側に収納される電子部品が熱を多く発生させつつも高熱によく耐えて他側に収納される電子部品は熱を少なく発生させつつも高熱によく耐えれない場合に、前記他側に収納される電子部品を高熱から保護できるという長所を有する。
【００８６】
また、第３の実施の形態による電子部品収納用ケース及びそれを備えた画像表示装置は、その隔壁が第１排出部と鋭角をなすように形成されているので、前記隔壁下から排出される熱い空気がさらに円滑に排出されるという長所を有する。
【００８７】
また、第４の実施の形態及び第５の実施の形態による電子部品収納用ケース及びそれを備えた画像表示装置は、リアカバーの構造的強度が向上するという長所を有する。
【００８８】
また、第６の実施の形態による電子部品収納用ケース及びそれを備えた画像表示装置は、隔壁により区切られるケース内の下側空間を経由した空気が隔壁によりガイドされた後で第１排出部を通過するので、空気流動がさらに円滑になるという長所を有する。
【００８９】
また、第７の実施の形態による電子部品収納用ケース及びそれを備えた画像表示装置は、第１排出部及び第２流入部の排出孔及び流入孔がメッシュにより限定されるのでその開口率が高く、従って空気流動がさらに円滑になるという長所を有する。
【００９０】
また、第８の実施の形態による電子部品収納用ケース及びそれを備えた画像表示装置は、前記第２の実施の形態と第７の実施の形態の長所をどちらも有する。
【００９１】
また、第９の実施の形態による電子部品収納用ケース及びそれを備えた画像表示装置は、第１排出部と第２流入部とが互いにずれて形成されるので、隔壁により区切られたケースの下側空間を経由した熱い空気が再びケースの上側空間に流入することが防止され、従って前記上側空間の放熱がさらに向上するという長所を有する。
【図面の簡単な説明】
【図１】  従来の電子部品収納用ケースを備えた画像表示装置を示す分解斜視図である。
【図２】  図１の画像表示装置が組み立てられた状態での空気流動方向を示す斜視図である。
【図３】  本発明の第１の実施の形態による電子部品収納用ケースを備えた画像表示装置を示す分解斜視図である。
【図４】  図３の画像表示装置が組み立てられた状態での空気流動方向を示す斜視図である。
【図５】  本発明の第２の実施の形態による電子部品収納用ケースを備えた画像表示装置を示す分解斜視図である。
【図６】  図５の画像表示装置が組み立てられた状態での空気流動方向を示す斜視図である。
【図７】  本発明の第３の実施の形態による電子部品収納用ケースを備えた画像表示装置を示す分解斜視図である。
【図８】  本発明の第４の実施の形態による電子部品収納用ケースを備えた画像表示装置を示す分解斜視図である。
【図９】  本発明の第５の実施の形態による電子部品収納用ケースを備えた画像表示装置を示す分解斜視図である。
【図１０】  図９の画像表示装置が組み立てられた状態での空気流動方向を示す斜視図である。
【図１１】  本発明の第６の実施の形態による電子部品収納用ケースを備えた画像表示装置を示す分解斜視図である。
【図１２】  本発明の第７の実施の形態による電子部品収納用ケースを備えた画像表示装置を示す分解斜視図である。
【図１３】  温度測定実験における温度測定地点を示す正面図である。
【図１４】  図１３のＰ１ないしＰ１０地点における温度測定結果を示す図表である。
【図１５】  図１３のＲ１ないしＲ５地点における温度測定結果を示す図表である。
【図１６】  本発明の第８の実施の形態による電子部品収納用ケースを備えた画像表示装置を示す分解斜視図である。
【図１７】  本発明の第９の実施の形態による電子部品収納用ケースを備えた画像表示装置を示す分解斜視図である。
【符号の説明】
２  フレーム
３  画像表示パネル
４  左側回路ボード
５  上側回路ボード
６  下側回路ボード
７  右側回路ボード
８  スペーサ
９  フロントカバー
１０１  画像表示装置
１１０  リアカバー
１１１  背面
１１２  上面
１１３  第１流入部
１１３ａ、１１５ａ  流入孔
１１４  第１排出部
１１４ａ、１１６ａ  排出孔
１１５  第２流入部
１１６  第２排出部
１２０  隔壁
【図１】
2005197766.tif 000003
【図２】
2005197766.tif 000004
【図３】
2005197766.tif 000005
【図４】
2005197766.tif 000006
【図５】
2005197766.tif 000007
【図６】
2005197766.tif 000008
【図７】
2005197766.tif 000009
【図８】
2005197766.tif 000010
【図９】
2005197766.tif 000011
【図１０】
2005197766.tif 000012
【図１１】
2005197766.tif 000013
【図１２】
2005197766.tif 000014
【図１３】
2005197766.tif 000015
【図１４】
2005197766.tif 000016
【図１５】
2005197766.tif 000017
【図１６】
2005197766.tif 000018
【図１７】
2005197766.tif 000019